(57)【要約】【課題】タンクの中心部に集水域を設ける。【解決手段】側壁で囲まれた空間の中心以外に支柱を設ける。そのためにタンク中心部に集水域を設置することが可能である。さらに、屋根板を片持梁状とすることにより、比較的長い屋根板を施工することができ、コンクリート部材を有効に利用できる。【選択図】図１
2005343552.tif 000002
【特許請求の範囲】
【請求項１】
底版と、
その外壁となる側壁と、
側壁で囲まれた空間の中心以外の位置に設置した支柱と、
外壁で囲まれた空間を覆う屋根板よりなり、
屋根板の中心側端は、支柱の位置よりも中心方向へ片持梁状に延長した状態で設置してなる、
タンクの構造。
【請求項２】
屋根板は二種類の形状の屋根板で構成し、
一種類の屋根板は、平面視において
中心側台形と、側壁側台形とを組合わせてなり、
中心側台形の下辺に、側壁側台形の上辺を接合した形状を呈し、
他の屋根板は、平面視において台形状を呈してなる
請求項1記載のタンクの構造。
【発明の詳細な説明】
【技術分野】
【０００１】
本発明は、タンクの構造で関するものであって、特に、タンクの中心部分に集水域を設けることができるタンクに関するものである。
【背景技術】
【０００２】
コンクリート製のタンクとして例えばべスラブ型構造が知られている。
このスラブ型構造のタンクは、図４に示すように屋根板ａ、側壁ｂおよび支柱ｃなどの要素から構成している。
このタンクの径が大きい場合、屋根板ａの重量を支えるため、支柱ｃを中心部へ設ける構造が一般的である。
【非特許文献１】日本ブレキャストタンク協会 「プレキャストPCタンク Q＆A集」 平成15年9月
【発明の開示】
【発明が解決しようとする課題】
【０００３】
＜１＞上記したように従来のスラブ構造の場合には、タンクの上面を覆うように屋根板ａを支えるための支柱ｃをタンク中心部に設けている。
このように支柱が中心にあると、タンクの中心部分に集水域等を設けることができない。
＜２＞支柱ｃをタンク中心部に設置すると、タンク内の液体を集める枡などの集水域を中心から外れた位置に設置しなければならない。その結果、タンクの底板は中央へ集まる均等な傾斜を形成することができず、偏った位置が最も低くなるから、集水域に流れ込む流水の流速分布が不均一となる。同時に、中心以外の位置を最も低くした構造の床面を形成しなければならないから、形状が複雑になり、施工に手数を要する。
【課題を解決するための手段】
【０００４】
上記のような課題を解決するため、本発明のタンクの構造は底版と、
その外壁となる側壁と、側壁で囲まれた空間の中心以外の位置に設置した支柱と、外壁で囲まれた空間を覆う屋根板よりなり、屋根板の中心側端は、支柱の位置よりも中心方向へ片持梁状に延長した状態で設置してなる、タンクの構造を特徴とするものである。
【発明の効果】
【０００５】
上記した本発明のタンクの構造は、課題を解決するための手段により、次のような効果が得られる。
＜1＞  支柱をタンクの中心以外の位置に配置する構造である。その結果、集水域の位置をタンクの中央部に設置することが可能となる。
＜2＞  タンクの中心部の自由空間を確保することができるから、各種の付帯設備を中心部分に設置することができ、配管経路を複雑にすることなく、配水管および排泥管の経路を集水域まで直線状に保つことが可能となる。
＜3＞  同時に、中心部に集水域を設けることができるから、中心部を最も低い床として形成することができ、施工が容易である。
＜4＞  屋根板を支柱から片持梁状に中心方向へ延長した状態で設置することができる。そのためにコンクリート製の屋根板の断面を有効に生かすことができる。
【発明を実施するための最良の形態】
【０００６】
以下、図面を参照しながら本発明の実施の形態について説明する。
【実施例１】
【０００７】
＜１＞全体の構成
本発明は底版1とその外壁となる側壁２と、側壁２で囲んだ空間の中心以外の位置に設置した支柱３と、側壁２で囲んだ空間の上部を覆う屋根板５より構成する。
【０００８】
＜２＞屋根板の形状
本発明の屋根板５の形状には屋根板Aと屋根板Bとの二種類で構成する。両屋根板Ａ、とＢとを組み合わせて１組とし、この組み合わせ構造を順次、屋根として配置してゆく。
【０００９】
＜３＞屋根板Ａ。
屋根板Ａの平面形状は台形を呈する。
もし三角形状とし先端部分を尖塔型とすると、先端部分が細くなり、先端が破損する可能性がある。
そこで、中心部を細くした台形状を採用する。
すなわち、屋根板Ａは、中心側端面５４と、それよりも長い寸法を持ち、かつ中心側端面と並行に形成した側壁側端面５５と、その間を連結する両側面とによって平面視を台形に形成するものである。
屋根板Ａは下面の中心に鉛直の補強板を突設しており、その断面形状はＴ字型に形成する。
【００１０】
＜４＞屋根板Ｂ。
屋根板Ｂの平面形状は、ふたつの台形、すなわち中心側台形５１と、側壁側台形５２とを組合わせた形状に構成する。
このふたつの台形は、中心側台形５１の下辺に、側壁側台形５２の上辺を接合した形状を呈する。
そのため、中心側台形５１と側壁側台形５２が接合している部分には段差部５３が形成される。
屋根板Ｂも下面の中心に鉛直の補強板を突設しており、その断面形状はＴ字型に形成する。
【００１１】
＜５＞屋根板Aと屋根板Bとの関係
屋根板Aと屋根板Bとは、組み合わせて使用する。
すなわち屋根板Ａの中心側端面５４を、屋根板Ｂの段差部５３に当接するように組み合わせる。
屋根板Ｂの段差部５３の長さは、屋根板Ａの中心側端面５４の半分の長さに形成する。
そのために屋根板Ａ，Ｂの２枚の一組として、順次配置すれば、中心に小さい空間を開放した円盤状の屋根を形成することができる。
【００１２】
＜ ６＞支柱の配置。
前記したように従来のタンクの構造では支柱ｃはタンクの中心にあった。
しかし本発明のタンクの構造では、支柱３を中心以外の位置に複数本を配置する。
この複数本の支柱３は、タンクの中心を円心とした同心円上に等間隔で配置する。
そのため、中心部に空間を設けることが可能となり、集水域６などの設置が可能となる。
同時に、中心部を最も低く形成できるから底版１の施工もきわめて簡単である。
【００１３】
＜７＞環状受板
複数の支柱３の上端で直接屋根板Ａ、Ｂの重量を受けることもできるが、支柱３間を、環状の受板４で連結する構成を採用することもできる。
複数本の支柱３は、タンクの中心を延伸とした同心円上に等間隔で配置してあるから、支柱３の上端の間を連結する受板４は環状となる。
なお、タンクが円筒状ではなく多角形の場合には、受板４も折れ曲がった多角形となるが、それも広い意味で「環状」であるから、折れ曲がった受板を含めて「環状受板」４と称する。
【００１４】
＜８＞屋根板の配置。
上記した形状の屋根板Ａと屋根板Ｂとを２枚一組として順に配置してゆく。
その場合に各屋根板Ａ、Ｂの側壁側端面５２、５５は側壁２の上に搭載する。
そして平面視台形の屋根板Ａは、その中心側端面５４の部分を環状受板４の上に搭載する。
屋根板Ｂは、その環状受板４よりも中心側に延長しており、したがって環状受板４より中心側に張り出した部分は片持ち梁状に張り出すことになる。
なお、実際には屋根板Ａ、Ｂはその下面に鉛直補強板が突設してあるから、補強板の下面が、側壁２、および環状受板４の上に載る。
前記したように、屋根板Ｂの段差部５３の長さは、屋根板Ａの中心側端面５４の半分の長さに形成してあるから、屋根板Ａ，Ｂの２枚の一組として、順次配置すれば、中心に小さい空間を開放した円盤状の屋根を形成することができる。
この中心の空間は、図１に示すように金属性の蓋板で被覆する。
【００１５】
＜ ９＞集水域の配置。
本発明のタンクは側壁２で囲まれた空間の中心以外の位置に支柱３を設けている。
そのため、集水域６をタンクの中心部に設置することができる。
また、集水域６への各種の配管する場合にも、支柱３が障害とならないから直線的な配管も簡単に行うことができる。
【図面の簡単な説明】
【００１６】
【図１】本発明のタンクの断面図。
【図２】屋根板Ａおよび屋根板Ｂを組み合わせた状態の平面的な説明図。
【図３】屋根板Ａおよび屋根板Ｂを組み合わせた状態の斜視図。
【図４】従来のタンクの断面図。
【符号の説明】
【００１７】
２・ ・ ・側壁
３・・・支柱
４・・・環状受板
５・・・屋根板
６・・・集水域
【図１】
2005343552.tif 000003
【図２】
2005343552.tif 000004
【図３】
2005343552.tif 000005
【図４】
2005343552.tif 000006